(57)【要約】【課題】本発明は、アクチュエータ４０の電力当たりの感度を向上することができる。【解決手段】本発明は、光ピックアップ２０のアクチュエータ４０は、フォーカス巻線５３とチルト巻線５４とを並行に共巻きしてＦＣ／ＴＬＴコイル５２を形成することにより、ＦＣ／ＴＬＴコイル５２の中心を１つにまとめ、マグネット４５の分割着磁数を減少させるようにする。【選択図】図３
2007299469.tif 000002
【特許請求の範囲】
【請求項１】
光ビームを光ディスクの信号記録層に集光するための対物レンズを保持するレンズ保持部と、
上記レンズ保持部をトラッキング方向、フォーカス方向及びチルト方向の３つの駆動方向へそれぞれ揺動自在に保持する揺動保持部と、
上記レンズ保持部におけるトラッキング方向及びフォーカス方向に対して直交するタンジェンシャル方向の２側面に取り付けられ、当該レンズ保持部を上記３つの駆動方向へ駆動するためのトラッキングコイル、フォーカスコイル及びチルトコイルから構成される一対のコイルユニットと、
上記コイルユニットにそれぞれ対向して配置される一対のマグネットと
を具え、
上記フォーカスコイル及び上記チルトコイルは、
上記フォーカスコイルを構成するフォーカス導体線と、上記チルトコイルを構成するチルト導体線とが、並行に共巻きされることによって形成される
ことを特徴とする光ピックアップ。
【請求項２】
共巻きされた上記フォーカスコイル及び上記チルトコイルのうち、一の上記フォーカスコイル及び上記チルトコイルは、
上記レンズ保持部の中心からトラッキング方向に平行な一方向にオフセットして配置され、
他の上記フォーカスコイル及び上記チルトコイルは、
上記レンズ保持部の中心からトラッキング方向に平行な他方向にオフセットして配置される
ことを特徴とする請求項１に記載の光ピックアップ。
【請求項３】
上記コイルユニットは、
平面な一基板上に導体線が形成されてなる
ことを特徴とする請求項１に記載の光ピックアップ。
【請求項４】
上記コイルユニットは、
上記フォーカス導体線及び上記チルト導体線の間隔が、上記トラッキングコイルを形成するトラッキング導体線の間隔より大きく形成されている
ことを特徴とする請求項３に記載の光ピックアップ。
【請求項５】
上記コイルユニットは、
所定の駆動電流が供給される際、上記レンズ保持部の中心に向かって見たとき、一対の上記コイルユニットにおける２つの上記フォーカスコイルに同一方向の電流が流れ、一対の上記コイルユニットにおける２つの上記トラッキングコイル及び上記チルトコイルに反対方向の電流が流れる
ことを特徴とする請求項１に記載の光ピックアップ。
【請求項６】
上記マグネットは、
対向する上記トラッキングコイルの略中心からトラッキング方向に分割され、上記トラッキング方向の一半分と対向する第１の領域と、対向する上記フォーカスコイル及び上記チルトコイルの略中心でフォーカス方向に分割され、上記フォーカスコイル及び上記チルトコイルの一半分と対向する第２の領域と、上記トラッキングコイルの他半分、並びに上記フォーカスコイル及び上記チルトコイルの他半分と対向し、上記第１の領域及び上記第２の領域とは反対の磁極を有する第３の領域とから構成される
ことを特徴とする請求項１に記載の光ピックアップ。
【請求項７】
光ビームを光ディスクの信号記録層に集光するための対物レンズを保持するレンズ保持部と、
上記レンズ保持部をトラッキング方向、フォーカス方向及びチルト方向の３つの駆動方向へそれぞれ揺動自在に保持する揺動保持部と、
上記レンズ保持部におけるトラッキング方向及びフォーカス方向に対して直交するタンジェンシャル方向の２側面に取り付けられ、当該レンズ保持部を上記３つの駆動方向へ駆動するためのトラッキングコイル、フォーカスコイル及びチルトコイルから構成される一対のコイルユニットと、
上記コイルユニットにそれぞれ対向して配置される一対のマグネットと、
上記コイルユニットに上記駆動電流を供給する駆動制御部と
を具え、
上記フォーカスコイル及び上記チルトコイルは、
上記フォーカスコイルを構成するフォーカス導体線と、上記チルトコイルを構成するチルト導体線とが、並行に共巻きされることによって形成される
ことを特徴とする光ディスク装置。
【発明の詳細な説明】
【技術分野】
【０００１】
本発明は、光ピックアップ及び光ディスク装置に関し、各種方式に対応した光ディスク装置に適用して好適なものである。
【背景技術】
【０００２】
従来、光ディスク装置は、光ピックアップから光ディスクに対してレーザ光を照射することにより情報の記録や再生を行うようになされている。
【０００３】
この光ピックアップとして、対物レンズを保持するレンズ保持部の周囲にトラッキング用、フォーカス用及びチルト用の３種類のコイルと共に当該３種類のコイルに対応するマグネットを配置してアクチュエータを形成することにより、当該対物レンズを当該光ディスクの径方向であるトラッキング方向、当該光ディスクに近接する又は離隔するフォーカス方向、及び当該レーザ光の光軸を傾けるチルト方向の３方向へ駆動するようになされたものがある（例えば特許文献１参照）。
【特許文献１】特開２００２-２４５６４６公報
【発明の開示】
【発明が解決しようとする課題】
【０００４】
ところでかかる構成の光ピックアップにおいては、３つのコイルにそれぞれ対応してマグネットの磁極を反転させるため、マグネットを少なくとも４以上に分割着磁させる必要があった。この結果、マグネットの磁極間に生じるどちらの磁極にも着磁されないニュートラル領域が増大し、アクチュエータの感度を向上させることが困難であるという問題があった。
【０００５】
本発明は以上の点を考慮してなされたもので、アクチュエータの感度を向上させる光ピックアップ及び光ディスク装置を提案しようとするものである。
【課題を解決するための手段】
【０００６】
かかる課題を解決するため本発明においては、光ビームを光ディスクの信号記録層に集光するための対物レンズを保持するレンズ保持部と、レンズ保持部をトラッキング方向、フォーカス方向及びチルト方向の３つの駆動方向へそれぞれ揺動自在に保持する揺動保持部と、レンズ保持部におけるトラッキング方向及びフォーカス方向に対して直交するタンジェンシャル方向の２側面に取り付けられ、当該レンズ保持部を３つの駆動方向へ駆動するためのトラッキングコイル、フォーカスコイル及びチルトコイルから構成される一対のコイルユニットと、コイルユニットにそれぞれ対向して配置される一対のマグネットとを設け、フォーカスコイル及びチルトコイルは、フォーカスコイルを構成するフォーカス導体線と、チルトコイルを構成するチルト導体線とが、並行に共巻きされることによって形成されるようにした。
【０００７】
これにより、フォーカスコイル及びチルトコイルの２つのコイルを同一領域に形成することができ、当該２つのコイルに対して１回のみ磁極を反転させれば良いため、マグネットの分割着磁数を減少させてニュートラル領域を減少させると共に、当該２つのコイルを従来に比して横長に形成して当該２つのコイルにおける推力を発生する部分の割合を増大することができる。
【発明の効果】
【０００８】
本発明によれば、フォーカスコイル及びチルトコイルの２つのコイルを同一領域に形成することができ、当該２つのコイルに対して１回のみ磁極を反転させれば良いため、マグネットの分割着磁数を減少させてニュートラル領域を減少させると共に、当該２つのコイルを従来に比して横長に形成して当該２つのコイルにおける推力を発生する部分の割合を増大することができ、かくしてアクチュエータの感度を向上させる光ピックアップ及び光ディスク装置を実現できる。
【発明を実施するための最良の形態】
【０００９】
以下、図面について、本発明の一実施の形態を詳述する。
【００１０】
（１）光ディスク装置の全体構成
図１において、１０は全体として光ディスク装置を示している。この光ディスク装置１０は、システムコントローラ１１によって統括制御されており、光ディスク１００に対する再生処理及び記録処理を実行するようになされている。
【００１１】
システムコントローラ１１は、再生処理の際、光ディスク１００から読み出すデータを特定するためのアドレス情報と共に、データ読出命令を駆動制御部１３へ送出する。
【００１２】
駆動制御部１３は、システムコントローラ１１からのデータ読出命令に応じて、スピンドルモータ１４を制御することにより光ディスク１００を所定の回転速度で回転させると共に、データ読出命令及びアドレス情報を基にスレッドモータ１５を制御することにより、光ピックアップ２０を当該光ディスク１００の径方向に移動させる。そしてシステムコントローラ１１は、光ディスク１００の情報記録層におけるアドレス情報に応じたトラックに対し、光ピックアップ２０のレーザドライバ２２を介してレーザダイオード２３から光ビームを発射させ、対物レンズ３１によって光ビームを集光して光ディスク１００に照射する。
【００１３】
このとき光ピックアップ２０では、光ディスク１００に照射した光ビームが反射された反射光ビームをフォトダイオード２４で受光し、その光量に応じた受光信号を信号処理部１６へ送出する。信号処理部１６は、受光信号を基に、所望のトラックに対する光ビームの照射位置のずれ量に応じたトラッキングエラー信号と光ディスク１００の情報記録層に対する光ビームの焦点のずれ量に応じたフォーカスエラー信号とを生成してこれらを駆動制御部１３へ送出すると共に、当該受光信号を基に再生ＲＦ信号を生成し、外部機器（図示せず）へ送出する。
【００１４】
駆動制御部１３は、トラッキングエラー信号及びフォーカスエラー信号に基づいてトラッキング駆動電流、フォーカス駆動電流を生成すると共に、システムコントローラ１１から供給されるチルト制御信号に基づいてチルト駆動電流を生成し、これらをレンズ駆動部３０へ送出する。これに応じてレンズ駆動部３０は、対物レンズ３１を光ディスクの径方向であるトラッキング方向、当該光ディスクに近接する又は離隔するフォーカス方向、及び当該レーザ光の光軸が傾くチルト方向の３方向へ駆動させることにより、光ビームの焦点を光ディスク１００の所望のトラックに合致させる。
【００１５】
システムコントローラ１１は、再生ＲＦ信号を基にレーザパワー信号を生成してレーザドライバ２２へ送出する。レーザドライバ２２は、このレーザパワー信号を基にレーザパワー制御信号を生成することにより、発光させる光ビームの強度を再生に適した値に制御するようになされている。
【００１６】
またシステムコントローラ１１は、記録処理の際、光ディスク１００の情報記録層にデータを記録する箇所を指定するためのアドレス情報と共に、データ書込命令を駆動制御部１３へ送出する。
【００１７】
さらにシステムコントローラ１１は、外部機器（図示せず）等から入力された書込データを駆動制御部１３へ送出する。また駆動制御部１３は、供給されたアドレス情報に基づき光ピックアップ２０の位置を制御する。
【００１８】
これに応じて光ピックアップ２０は、光ディスク１００の情報記録層におけるアドレス情報に応じたトラックに光ビームの焦点を合わせ、レーザドライバ２２の制御により、データの記録に適した強度に調整された光ビームを照射することにより、書込データを当該光ディスク１００に記録していく。
【００１９】
このように光ディスク装置１は、光ピックアップ２０から光ディスク１００の情報記録層における所望のトラックに対して焦点を合わせた光ビームを照射することにより、データの記録及び再生を行うようになされている。
【００２０】
（２）対物レンズ駆動部の構成
図２はレンズ駆動部３０の構成を示しており、対物レンズ３１を備えたレンズ保持部３２が、ヨーク４９と結合される固定部３３から延設された６本のサスペンションワイヤ３４によって弾性支持されると共に、当該レンズ保持部３２の周囲にアクチュエータ４０が配置されている。
【００２１】
このアクチュエータ４０は、２つのコイルユニット５０（第１コイルユニット５０Ａ及び第２コイルユニット５０Ｂ）と２つのマグネット４５（第１マグネット４５Ａ及び第２マグネット４５Ｂ）とから構成されている。
【００２２】
コイルユニット５０は、レンズ保持部３２におけるフォーカス方向及びトラッキング方向に対して直交するタンジェンシャル方向の２側面（第１面３２ａ及び第２面３２ｂ）に取り付けられている。一方、マグネット４５は、その取付面４５ｂがヨーク４９に固着される。
【００２３】
アクチュエータ４０は、コイルユニット５０に対してマグネット４５の対向面４５ａを対向させて配置することにより、各コイルに流れる電流と、マグネットが発生する磁界とによってレンズ保持部３２を駆動させる推力を発生するようになされている。以下、第１マグネット４５Ａの対向面４５ａをユーザに対峙させた状態を基準として説明する。
【００２４】
図３に示すように、コイルユニット５０は、同一平面上に縦長のトラッキング（以下、ＴＲと略す）コイル５１（第１ＴＲコイル５１Ａ及び第２ＴＲコイル５１Ｂ）と、横長のフォーカス／チルト（以下、ＦＣ／ＴＬＴと略す）コイル５２（第１ＦＣ／ＴＬＴコイル５２Ａ及び第２ＦＣ／ＴＬＴコイル５２Ｂ）とを有している。このＴＲコイル５１は、コイルユニット５０の表面５０ａに設けられた１本の渦巻状の導体線である表面ＴＲ導体線５１ａと、裏面５０ｂに同じく設けられた１本の渦巻状の導体線である裏面ＴＲ導体線５１ｂとが直列に接続されることにより形成されている。
【００２５】
一方、ＦＣ／ＴＬＴコイル５２は、フォーカス巻線５３（第１フォーカス巻線５３Ａ及び第２フォーカス巻線５３Ｂ）及びチルト巻線５４（第１チルト巻線５４Ａ及び第２チルト巻線５４Ｂ）の２つのコイルを同一領域に有している。このフォーカス巻線５３及びチルト巻線５４は、２本の導体線が並行に共巻きされて同心状に巻回されることによりそれぞれ形成されている。
【００２６】
このフォーカス巻線５３及びチルト巻線５４は、ＴＲコイル５１と同様に、コイルユニット５０の表面５０ａに設けられた渦巻状の導体線である表面ＦＣ導体線５３ａ及び表面ＴＬＴ導体線５４ａと、裏面５０ｂに同じく設けられた渦巻状の導体線である裏面ＦＣ導体線５３ａ及び裏面ＴＬＴ導体線５４ｂがそれぞれ直列に接続されることにより形成されている。
【００２７】
一方図４に示すように、マグネット４５は直方体形状でなり、トラッキング方向に分割された右端の縦長でなる第１の領域ＭＺ１と、フォーカス方向に分割された左側下部分の横長でなる第２の領域ＭＺ２と、当該第１の領域ＭＺ１の左側に隣接する領域及び当該第２の領域ＭＺ２の上側に隣接する領域とが連接されたＬ字状でなる第３の領域ＭＺ３とを有している。
【００２８】
第１の領域ＭＺ１及び第２の領域ＭＺ２は、対向面４５ａ側がＳ極に、取付面４５ｂ側がＮ極になるように着磁されている。一方、第３の領域ＭＺ３は、対向面４５ａ側がＮ極に、取付面４５ｂ側がＳ極になるように着磁されている。
【００２９】
このマグネット４５は、その対向面４５ａがコイルユニット５０の表面５０ａに対向して配置されることにより、図５に示すように、ＴＲコイル５１の右側部分Ｒ１がマグネット４５のＳ極である第１の領域ＭＺ１と対向し、ＴＲコイル５１の左側部分Ｌ１がＮ極である第３の領域ＭＺ３と対向する。一方、ＦＣ／ＴＬＴコイル５２の上側部分Ｕ２がＮ極である第３の領域ＭＺ３と対向し、ＦＣ／ＴＬＴコイル５２の下側部分Ｄ２がＳ極である第２の領域ＭＺ２と対向する。
【００３０】
次に、マグネット４５に対向する各コイルに電流が流れた場合に発生する推力について説明する。以下、ＴＲコイル５１の第３の領域ＭＺ３に対向する部分に下向きの電流が流れた場合、すなわち当該ＴＲコイル５１の上側から内向きの電流が流れる場合を順方向ａ１、外向きの電流が流れる場合を逆方向ｂ１とし、ＦＣ／ＴＬＴコイル５２の第３の領域に対向する部分に右向きの電流が流れた場合、すなわち当該ＦＣ／ＴＬＴコイル５２の上側に内向きの電流が流れる場合を順方向ａ２、外向きの電流が流れる場合を逆方向ｂ２として説明する。
【００３１】
ＴＲコイル５１に順方向ａ１の電流が流れると、ＴＲコイル５１のトラッキング方向に平行な上側部分Ｕ１及び下側部分Ｄ１では、その中心部分でマグネット４５の磁極が反転しているため、正反対となるＦＣ＋方向及びＦＣ−方向の推力がそれぞれ発生し、これらフォーカス方向の推力は相殺される。
【００３２】
このとき、ＴＲコイル５１のうち、第１の領域ＭＺ１に対向するフォーカス方向に平行な右側部分Ｒ１では、左向きであるＴＲ−方向への推力が発生すると共に、電流の向き及び磁極が反対の関係にある左側部分Ｌ１でも同様にＴＲ−方向のトラッキング推力ＴＲＰが発生する。
【００３３】
同様に、ＴＲコイル５１に逆方向ｂ１の電流が流れると、フォーカス方向の推力は相殺される一方、ＴＲコイル５１の右側部分Ｒ１及び左側部分Ｌ１では、右向きであるＴＲ＋方向へのトラッキング推力ＴＰＲが発生する。
【００３４】
一方、ＦＣ／ＴＬＴコイル５２に順方向ａ２の電流が流れると、フォーカス方向に平行な左側部分Ｌ２及び右側部分Ｒ２では、その中心部分でマグネット４５の磁極が反転しているため、正反対であるＴＲ＋方向及びＴＲ−方向の推力がそれぞれ発生し、これらトラッキング方向の推力は相殺される。
【００３５】
このとき、ＦＣ／ＴＬＴコイル５２のうち、第３の領域ＭＺ３に対向するトラッキング方向に平行な上側部分Ｕ２では、下向きであるＦＣ−方向への推力が発生すると共に、電流の向き及び磁極が反対の関係にある下側部分Ｄ１でも同様にＦＣ−方向への推力が発生する。
【００３６】
同様に、ＦＣ／ＴＬＴコイル５２に逆方向ｂ２の電流が流れると、トラッキング方向の推力は相殺される一方、ＦＣ／ＴＬＴコイル５２の上側部分Ｕ２及び下側部分Ｄ２において上向きであるＦＣ＋方向への推力が発生する。
【００３７】
このアクチュエータ４０は、従来のフォーカスコイル及びチルトコイルを別々に形成する方法とは異なり、同一方向の推力を発生する２つのコイル（フォーカス巻線５３及びチルト巻線５４）を同一領域に形成することにより、ＦＣ／ＴＬＴコイル５２を従来に比して横長に形成することができるため、導体線全長に対する推力を発生する部分（トラッキング方向に平行な部分）の長さ（以下、これを有効長と呼ぶ）の割合を大きくでき、同一の電流が流れたときの推力、すなわち電力当たりの感度を大きくすることができる。
【００３８】
図６に示すように、アクチュエータ４０は、フォーカス方向に推力を発生する第１ＦＣ／ＴＬＴコイル５２Ａ及び第２ＦＣ／ＴＬＴコイル５２Ｂを、レンズ保持部３２の中心線ＣＬから外側にオフセットして配置することにより、同時に同一方向の推力を発生させた場合にフォーカス方向に当該レンズ保持部３２を駆動するフォーカス推力ＦＰＲを発生させると共に、同時に反対方向の推力を発生させた場合に当該レンズ保持部３２をチルト方向に駆動するチルト推力ＴＬＴＰを発生させるようになされている。
【００３９】
具体的に、アクチュエータ４０は、第１マグネット４５Ａの対向面４５ａに対して第１コイルユニット５０Ａの表面５０ａを対向させると共に、裏面５０ｂ及び対向面４５ａが手前側となるように、第１コイルユニット５０Ａの裏面５０ｂをレンズ保持部３２の奥側にある第１面３２ａに取り付ける。
【００４０】
同様にアクチュエータ４０は、第２マグネット４５Ｂの対向面４５ａに対し第２コイルユニット５０Ｂの表面５０ａを対向させると共に、取付面４５ｂ及び表面５０ａが手前側になるように、中心線ＣＬを軸にこれら第２コイルユニット５０Ｂ及び第２マグネット４５Ｂを１８０°反転させ、第２コイルユニット５０Ｂの奥側となる裏面５０ｂをレンズ保持部３２の手前側となる第２面３２ｂ取り付ける。この結果、第２コイルユニット５０Ｂ及び第２マグネット４５Ｂにおけるコイルや磁極の左右関係が、上述した第１マグネット４５Ａ及び第１コイルユニット５０Ａとは逆になる。
【００４１】
そして対応する各コイル（第１ＴＲコイル５１Ａ及び第２ＴＲコイル５１Ｂ、第１フォーカス巻線５３Ａ及び第２フォーカス巻線５３Ｂ、並びに第１チルト巻線５４Ａ及び第２チルト巻線５４Ｂ）がそれぞれ直列に接続されると共に、サスペンションワイヤ３４（図２）を介して駆動回路と接続され、当該駆動回路を介して駆動制御部１３（図１）から駆動電流が供給される。
【００４２】
このとき、第１フォーカス巻線５３Ａ及び第２フォーカス巻線５３Ｂは、レンズ保持部３２の中心に向かって見たとき、それぞれに同一方向の電流が流れるように接続される。これに対して、第１ＴＲコイル５１Ａ及び第２ＴＲコイル５１Ｂ、並びに第１チルト巻線５４Ａ及び第２チルト巻線５４Ｂは、レンズ保持部３２の中心に向かって見たとき、それぞれに反対方向の電流が流れるように接続される。
【００４３】
すなわち、図７に示すように、供給されるトラッキング駆動電流に応じて第１ＴＲコイル５１Ａに順方向ａ１の電流が流れる場合、第２ＴＲコイル５１Ｂには逆方向ｂ１の電流が流れる。これにより、第１ＴＲコイル５１Ａは、第１コイルユニット５０Ａの内側へ向かうトラッキング推力ＴＲＰを発生する一方、第２ＴＲコイル５１Ｂは、第２コイルユニット５０Ｂの外側へ向かうトラッキング推力ＴＲＰを発生する。このとき、第１コイルユニット５０Ａ及び第２コイルユニット５０Ｂにおける磁極及び電流の向きの左右関係がそれぞれ逆になっているため、第１ＴＲコイル５１Ａ及び第２ＴＲコイル５１Ｂが発生するトラッキング推力ＴＲＰは同一方向となり、第１ＴＲコイル５１Ａ及び第２ＴＲコイル５１Ｂは、レンズ保持部３２をＴＲ−方向に駆動する。
【００４４】
一方、供給されるフォーカス駆動電流に応じて第１フォーカス巻線５３Ａに順方向ａ２の電流が流れた場合、第２フォーカス巻線５３Ｂにも順方向ａ２の電流が流れるため、第１フォーカス巻線５３Ａ及び第２フォーカス巻線５３Ｂは、同一となる下向きのフォーカス推力ＦＣＰを発生し、レンズ保持部３２をＦＣ−方向に駆動する。
【００４５】
他方、供給されるチルト駆動電流に応じて第１チルト巻線５４Ａに順方向ａ２の電流が流れた場合、第２チルト巻線５４Ｂには逆方向ｂ２の電流が流れるため、第１チルト巻線５４Ａは、下方向のチルト推力ＴＬＴＰを発生する一方、第２チルト巻線は、上方向のチルト推力ＴＬＴＰを発生する。このとき、第１チルト巻線５４Ａ及び第２チルト巻線５４Ｂは、レンズ保持部３２の中心より外側にそれぞれオフセットして配置されているため、レンズ保持部３２をＴＬＴ＋方向に駆動する。
【００４６】
また、図８に示すように、供給されるトラッキング駆動電流に応じて第１ＴＲコイル５１Ａに逆方向ｂ１の電流が流れる場合、第２ＴＲコイル５１Ｂには順方向ａ１の電流が流れるため、第１ＴＲコイル５１Ａ及び第２ＴＲコイル５１Ｂは、レンズ保持部３２をＴＲ＋方向に駆動する。
【００４７】
一方、供給されるフォーカス駆動電流に応じて第１フォーカス巻線５３Ａに逆方向ｂ２の電流が流れる場合、第２フォーカス巻線５３Ｂにも逆方向ｂ２の電流が流れるため、第１フォーカス巻線５３Ａ及び第２フォーカス巻線５３Ｂは、レンズ保持部３２をＦＣ＋方向に駆動する。
【００４８】
他方、供給されるチルト駆動電流に応じて第１チルト巻線５１Ａに逆方向ｂ２の電流が流れる場合、第２チルト巻線５４Ａには順方向ａ２の電流が流れるため、第１チルト巻線５１Ａ及び第２チルト巻線５４Ｂは、レンズ保持部３２をＴＬＴ−方向に駆動する。
【００４９】
かくしてアクチュエータ４０は、揺動自在に保持されたレンズ保持部３２をトラッキング方向、フォーカス方向及びチルト方向の３方向に駆動するようになされている。
【００５０】
（３）動作及び効果
以上の構成において、光ピックアップ２０のアクチュエータ４０は、フォーカス方向に駆動するフォーカス巻線５３の導体線と、チルト方向に駆動するチルト巻線５４の導体線とを並行に共巻きして同一の中心を有するＦＣ／ＴＬＴコイル５２として形成する。
【００５１】
これにより、アクチュエータ４０は、フォーカス巻線５３とチルト巻線５４を見かけ上１つのコイルであるＦＣ／ＴＬＴコイル５２として同一領域に形成するため、マグネット４５の分割着磁数を減少させることができる。この結果アクチュエータ４０は、当該マグネット４５の設計の自由度を向上させて分割着磁された各領域を有効に活用させることができ、各コイルの有効長や巻数を増大させることができる。
【００５２】
また、アクチュエータ４０は、従来のフォーカス用コイル及びチルト用コイルを別々の領域に形成するアクチュエータと比較して、ＦＣ／ＴＬＴコイル５２における推力を発生する部分を、推力が相殺される部分（右側部分Ｒ２及び左側部分Ｌ２）によって分断させることなく長く形成でき、当該ＦＣ／ＴＬＴコイル５２における有効長を増大できるため、アクチュエータ４０の電力当たりの感度を向上させることができる。
【００５３】
さらに、アクチュエータ４０は、フォーカス巻線５３とチルト巻線５４とを並行に共巻きするようにしたため、１つのコイルの中心部分に他のコイルを形成する場合とは異なり、フォーカス巻線５３及びチルト巻線５４の導体線端部が他方のコイルに閉じ込められることがなく、導体線端部の接続に制限を加えることがない。
【００５４】
また、アクチュエータ４０は、３方向の駆動方向に対応する３つのコイルを一基板でなるコイルユニット５０上に搭載することができるため、全ての導体線をマグネット４５から近距離で対向させることができ、電力あたりの感度を向上させることができる。
【００５５】
ここで、ＴＲコイル５１の導体線間でショートが発生した場合、導線体の巻数が変化してそのトラッキング推力ＴＲＰが僅かに変化するだけである。しかしながら、ＦＣ／ＴＬＴコイル５２では、フォーカス巻線５３の導体線と、チルト巻線５４の導体線とが隣り合っているため、導体線間でショートが発生した場合、２つの異なるコイルの駆動回路が導通してしまうため、大きなトラブルに発展してしまう。
【００５６】
このアクチュエータ４０は、ＦＣ／ＴＬＴコイル５２におけるフォーカス巻線５３及びチルト巻線５４の導体線の間隔を、トラッキング方向に駆動するＴＲコイル５１における導体線の間隔より大きく設定することにより、ＦＣ／ＴＬＴコイル５２における導体線間でのショートの発生を一段と確実に防止でき、フォーカス巻線５３及びチルト巻線５４間での絶縁不良の発生を確実に防止できる。
【００５７】
さらに、アクチュエータ４０は、従来のフォーカスコイル及びチルトコイルを１つのコイルとして形成すると共に１つの駆動電流によってフォーカス方向及びチルト方向へ駆動する専用の駆動回路に接続する方法と比較して、見かけ上１つのコイルとなるフォーカス巻線５３及びチルト巻線５４を２つの駆動電流によって駆動する従来の駆動回路にそれぞれ接続することができるため、電力当たりの感度を向上させつつ、従来の駆動回路をそのまま活用できる。
【００５８】
また、アクチュエータ４０は、２つのＦＣ／ＴＬＴコイルである第１ＦＣ／ＴＬＴコイル５２Ａ及び第２ＦＣ／ＴＬＴコイル５２Ｂをレンズ保持部３２の中心からそれぞれ外側、すなわちＴＲ−方向及びＴＲ＋方向にそれぞれオフセットさせて配置すると共に、レンズ保持部３２の中心に向かって見たとき、第１フォーカス巻線５３Ａ及び第２フォーカス巻線５３Ｂに同一方向の電流が流れる一方、第１チルト巻線５４Ａ及び第２チルト巻線５４Ｂに反対方向の電流が流れるように駆動回路と接続することにより、見かけ上１つのコイルとなるＦＣ／ＴＬＴコイル５２を用いてフォーカス方向及びチルト方向の２方向に駆動できる。
【００５９】
さらに、アクチュエータ４０は、レンズ保持部３２の中心に向かって見たとき第１ＴＲコイル５１Ａ及び第２ＴＲコイル５１Ｂに反対方向の電流が流れるように、対応する各コイルを直列に接続して駆動回路に接続したため、着磁方向を変更することなく第１マグネット４５Ａと第２マグネット４５Ｂとして同一構成のマグネットを使用することができる。
【００６０】
また、マグネット４５は、対向する上記トラッキングコイルＴＲの略中心からトラッキング方向に分割され、トラッキング方向の右半分と対向する第１の領域ＭＺ１と、対向するＦＣ／ＴＬＴコイル５２の略中心でフォーカス方向に分割され、ＦＣ／ＴＬＴコイル５２の下半分と対向する第２の領域ＭＺ２と、上記トラッキングコイルの左半分、並びにＦＣ／ＴＬＴコイル５２の上半分と対向し、上記第１の領域ＭＺ１及び上記第２の領域ＭＺ２とは反対の磁極を有する第３の領域ＭＺ３とに３分割して着磁される。
【００６１】
これにより、マグネット４５の着磁分割数を３に抑えることができるため、ニュートラル領域ＮＺを減少させて当該マグネット４５の面積を最大限活用することができる。
【００６２】
以上の構成によれば、光ピックアップ２０のアクチュエータ４０は、フォーカス巻線５３とチルト巻線５４とを並行に共巻きしてＦＣ／ＴＬＴコイル５２を形成することにより、ＦＣ／ＴＬＴコイル５２の中心を１つにまとめ、マグネット４５の分割着磁数を減少させることができ、かくしてアクチュエータ４０の電力当たりの感度を向上することができる。
【００６３】
（４）他の実施の形態
なお上述の実施の形態においては、３つの駆動方向に対する各コイルをコイルユニット５０として形成するようにした場合について述べたが、本発明はこれに限らず、巻芯に対して導線を巻きつける巻芯コイルや、３以上の巻線コイルが積層される積層コイルとして形成されるようにしても良い。
【００６４】
また上述の実施の形態においては、マグネット４５が第１の領域ＭＺ１と、第２の領域ＭＺ２と、第３の領域ＭＺ３とに３分割に着磁されるようにした場合について述べたが、本発明はこれに限らず、第１マグネット４５Ａは種々の形状に分割着磁されることができ、分割の数については制限されない。
【００６５】
さらに上述の実施の形態においては、ＴＲコイル５１と、フォーカス巻線５３及びチルト巻線５４からなるＦＣ／ＴＬＴコイル５２とによってコイルユニット５０を形成するようにした場合について述べたが、本発明はこれに限らず、コイルの数や組み合わせは適宜変更することができる。例えば中心に設けられたＴＲコイル５１と、外側に設けられたＦＣ／ＴＬＴコイル５２と、内側に設けられたフォーカスコイルとによってコイルユニットを形成することにより、フォーカス駆動時のラジアル方向のスキューを防止することができる。
【００６６】
さらに上述の実施の形態においては、第１ＦＣ／ＴＬＴコイル５２における上記導体線の間隔が、第１ＴＲコイル５１における導体線の間隔より大きく形成されているようにした場合について述べたが、本発明はこれに限らず、導体線の巻数や形状などに応じて適宜変更することができる。
【００６７】
さらに上述の実施の形態においては、レンズ保持部としてのレンズ保持部３２と、レンズ揺動部としてのサスペンションワイヤ３４と、トラッキングコイルとしてのＴＲコイル５１と、フォーカスコイルとしてのフォーカス巻線５３と、チルトコイルとしてのチルト巻線５４と、マグネットとしてのマグネット４５とによって光ピックアップとしての光ピックアップ２０を構成するようにした場合について述べたが、本発明はこれに限らず、その他種々の構成でなるレンズ保持部と、レンズ揺動部と、トラッキングコイルと、フォーカスコイルと、チルトコイルと、マグネットとによって本発明の光ピックアップを構成するようにしても良い。
【産業上の利用可能性】
【００６８】
本発明は、種々の方式に対応した種々の光ディスクドライブに対して利用することができる。
【図面の簡単な説明】
【００６９】
【図１】光ディスク装置の全体構成を示す略線図である。
【図２】レンズ駆動部の構成を示す略線図である。
【図３】コイルユニットの構成を示す略線図である。
【図４】マグネットの構成を示す略線図である。
【図５】コイルとマグネットの配置の説明に供する略線図である。
【図６】コイルユニットとマグネットの配置を示す略線図である。
【図７】レンズ保持部の駆動（１）の説明に供する略線図である。
【図８】レンズ保持部の駆動（２）の説明に供する略線図である。
【符号の説明】
【００７０】
１０……光ディスク、１１……システムコントローラ、１３……駆動制御部、２０……光ピックアップ、３０……レンズ駆動部、３１……対物レンズ、３２……レンズ保持部、３３……固定部、３４……サスペンションワイヤ、４５……マグネット、４５Ａ……第１マグネット、４５Ｂ……第２マグネット、４９……アクチュエータ、５０……コイルユニット、５０Ａ……第１コイルユニット、５０Ｂ……第２コイルユニット、５１……ＴＲコイル、５１Ａ……第１ＴＲコイル、５１Ｂ……第２ＴＲコイル、５２……ＦＣ／ＴＬＴコイル、５２Ａ……第１ＦＣ／ＴＬＴコイル、５２Ｂ……第２ＦＣ／ＴＬＴコイル、５３……フォーカス巻線、５３Ａ……第１フォーカス巻線、５３Ｂ……第２フォーカス巻線、５４……チルト巻線、５４Ａ……第１チルト巻線、５４Ｂ……第２チルト巻線、ＭＺ１……第１の領域、ＭＺ２……第２の領域、ＭＺ３……第３の領域、ＮＺ……ニュートラル領域。
【図１】
2007299469.tif 000003
【図２】
2007299469.tif 000004
【図３】
2007299469.tif 000005
【図４】
2007299469.tif 000006
【図５】
2007299469.tif 000007
【図６】
2007299469.tif 000008
【図７】
2007299469.tif 000009
【図８】
2007299469.tif 000010